(57)【要約】【課題】  調理器本体の上面に、周囲にフレーム枠を装着した天板を装着し、フレーム枠の前枠部に操作部を配置したものにおいて、操作部の操作パネルを確実に固定する事を目的とするものである。【解決手段】  調理器本体の上面に、周囲にプレート枠を装着した耐熱ガラス製の天板を装着し、プレート枠の前枠部に操作部を配置したものにおいて、前枠部の操作部に操作窓を穿孔し、この操作窓の裏面に固定板を貼着すると共に、この固定板に複数の係止爪を形成し、これらの係止爪にて操作窓の内側に操作パネルを固定した事を特徴として成る。【選択図】        図１
2006010142.tif 000002
【特許請求の範囲】
【請求項１】
調理器本体の上面に、周囲にプレート枠を装着した耐熱ガラス製の天板を装着し、上記プレート枠の前枠部に操作部を配置したものにおいて、上記前枠部の操作部に操作窓を穿孔し、この操作窓の裏面に固定板を貼着すると共に、この固定板に複数の係止爪を形成し、これらの係止爪にて上記操作窓の内側に操作パネルを固定した事を特徴とする加熱調理器。
【請求項２】
上記操作パネルをガラス板にて形成すると共に、上記操作部を静電容量の変化から入力操作を検出する非接触式のタッチキーにより構成し、上記操作パネルの裏面に入力操作を検出する操作用回路基板を配置し、この操作用回路基板と操作パネルとを上記係止爪によって同時に固定した事を特徴とする、上記請求項１に記載の加熱調理器。
【請求項３】
上記固定板の両端を操作窓の幅寸法よりも長く構成し、固定板の両端部に貼着面を形成した事を特徴とする、上記請求項１〜２に記載の加熱調理器。
【発明の詳細な説明】
【技術分野】
【０００１】
本発明は、調理器本体の上面に被調理物を載置して加熱する天板を装着し、かつこの天板の手前に操作部を備えた加熱調理器に関する。
【背景技術】
【０００２】
調理器本体の天面に鍋等の被調理物を載置する耐熱ガラス製の天板を備えると共に、この天板の下方に誘導加熱コイルやヒータ等の複数の熱源を配設した加熱調理器では、例えば特許文献１に示される様に、上記天板の熱源よりも手前部分に操作部を配置し、操作性を向上したものがある。
【特許文献１】特開２００３−２７２８１６号公報
【発明の開示】
【発明が解決しようとする課題】
【０００３】
一方、上記特許文献１に記載の構成では、トッププレート２の手前部分に上面操作部３０を配置している為、例えばトッププレートの後端部に本体内から発生する熱気等を排気する排気孔を設けると、トッププレートの奥行き寸法が短くなり、鍋等の被調理物と上面操作部との間隔が狭くなり、上面操作部に被調理物が接近し易くなる。
【０００４】
そこで、トッププレートを固定するプレート枠の手前部分に操作部を配置する構成が考えられるが、この場合、調理器本体をシステムキッチンの天面板に組み込む場合、プレート枠の手前部分が天面板の前面部に載置される為、高さ寸法が薄く、上記特許文献１にも示される上面操作回路部の組み込みが難しいという問題がある。
【０００５】
そこで本発明は、天板を固定するプレート枠の前枠部に操作部を配置するものにおいて、この操作部の操作パネルを簡素な構成にて確実に固定する事を目的とする。
【課題を解決するための手段】
【０００６】
本発明の請求項１の構成は、調理器本体の上面に、周囲にプレート枠を装着した耐熱ガラス製の天板を装着し、プレート枠の前枠部に操作部を配置したものにおいて、前枠部の操作部に操作窓を穿孔し、この操作窓の裏面に固定板を貼着すると共に、この固定板に複数の係止爪を形成し、これらの係止爪にて操作窓の内側に操作パネルを固定して成るものである。
【０００７】
本発明の請求項２の構成は、請求項１の構成において、操作パネルをガラス板にて形成すると共に、操作部を静電容量の変化から入力操作を検出する非接触式のタッチキーにより構成し、操作パネルの裏面に入力操作を検出する操作用回路基板を配置し、この操作用回路基板と操作パネルとを係止爪によって同時に固定して成るものである。
【０００８】
本発明の請求項３の構成は、請求項１〜２の構成において、固定板の両端を操作窓の幅寸法よりも長く構成し、固定板の両端部に貼着面を形成して成るものである。
【発明の効果】
【０００９】
本発明の請求項１に記載の構成により、フレーム枠の操作窓裏面に固定板を貼着し、この固定板に形成した爪によって操作窓の裏面に操作パネルを固定する様に構成したことで、高さ寸法の低いフレーム枠の前枠部に、比較的簡素な構造にて、確実に操作パネルを固定する事が出来るものである。
【００１０】
本発明の請求項２に記載の構成により、操作部を非接触式のタッチキーにより構成すると共に、固定板に形成した爪により操作パネルの裏面に操作パネルへの入力操作を検出する操作用回路基板を固定する様に構成したことで、比較的簡単な構成にて、固定板によって操作基板を確実に固定する事が出来るものである。
【００１１】
本発明の請求項３に記載の構成により、固定板の両端部に貼着面を形成したことで、前枠部内部の限られたスペースを有効的に利用して固定板を前枠部に確実に固定し、操作パネルへの入力操作による操作パネルの剥離を防止する事が出来るものである。
【発明を実施するための最良の形態】
【００１２】
本発明による実施例を先ず図１に基づき説明すると、１は例えばシステムキッチン等にドロップイン方式にて組み込まれて使用される電磁調理器の調理器本体で、上面に耐熱ガラス製の天板２を装着していると共に、この天板の下方内部に熱源となる左右一対の誘導加熱コイル３，４とラジエントヒータ５を内蔵している。
【００１３】
一方、上記調理器本体１の前面右側には操作パネル６を配設していると共に、この操作パネルの左側にはグリル７用のグリル扉８を引き出し自在に配設し、かつ、上記操作パネル６には、シーソー式の電源スイッチ９、複数の操作キー１０・・やプッシュプッシュ式の操作摘み１１・・等を配設している。尚、上記操作摘み１１・・は、プッシュ操作により引き出すと誘導加熱コイル３，４やラジエントヒータ５への通電を開始し、押し込むと運転を停止し、引き出し位置で回転操作すると火力や調理時間、調理温度等を設定する様に構成している。
【００１４】
又、上記天板２の外周縁をプレート枠１２により押圧固定していると共に、このプレート枠の前枠部１３には操作窓１４を穿孔し、この操作窓内に非接触式のタッチキーにて構成した操作部１５を配置し、かつプレート枠１２の後端部には左右一対の吸排気カバー１６，１６を着脱自在に装着している。
【００１５】
そして、上記操作窓１４の下方には図２及び図３にても示す様に上記天板２とは分離して形成したガラス板やアクリル板等から成る操作パネル１７を配置していると共に、この操作パネルの表面又は裏面に指等のタッチ領域を示す複数のタッチキー１８・・を印刷により配置し、かつ操作パネル１７の下方に操作用回路基板１９を重ねて配設している。
【００１６】
一方、上記前枠部１３の操作窓１４裏面には、図４にても示す様に弾力性を有する金属板や樹脂にて形成した固定板２０を、例えばシリコン樹脂等の接着剤２１により固定していると共に、固定板２０の周縁には複数の係止爪２２・・を一体形成し、これらの係止爪にて上記操作パネル１７と操作用回路基板１９を確実に固定する様に構成している。
【００１７】
これらの構成により、比較的簡単な構成にて、操作パネル１７と操作用回路基板１９とを限られたスペース内に確実に固定する事が出来るものである。
【００１８】
尚、上記実施例では、係止爪２２・・に弾力性を持たせ、操作パネル１７や操作用回路基板１９を簡単に交換できる様に構成しているが、固定板２０を金属板で形成し、係止爪２２・・を折り曲げて固定する様に構成しても良く、係止爪２２・・の形状も実施例に限定されるものではなく、例えば操作用回路基板１９との当接面を略直角に折り曲げて、操作用回路基板の脱落を防止する様に構成しても良い。
【００１９】
又、上記固定板２０は、横幅寸法を操作窓１４の横幅よりも長く構成し、その左右両端部に貼着部２３，２３を形成し、これら貼着部によって固定板２０を前枠部１３の裏面に強固に固定し、操作パネル１７への指等によるタッチ操作による剥離を防止するものである。
【００２０】
上記操作用回路基板１９は、その上面に上記タッチキー１８・・の下方に各々対向して導電性材料にて形成した図示しない検出電極を印刷配線等により配置していると共に、これら検出電極の静電容量の変化を検出するＩＣチップを配置し、検出電極への指等の接近による静電容量の変化から、タッチキー１７・・の入力操作を検出する様に構成し、上記タッチキー１７・・からの入力操作に関しては、例えばＵＳＰ５，７３０，１６５、ＵＳＰ６，４５２，５１４、ＵＳＰ６，４６６，０３６に記載の静電容量方式により行う。
【図面の簡単な説明】
【００２１】
【図１】本発明の実施例を示す斜視図である。
【図２】同じく要部の平面図である。
【図３】同じの要部の側面縦断面図である。
【図４】同じく要部の背面分解斜視図である。
【符号の説明】
【００２２】
１    調理器本体
２    天板
１２  フレーム枠
１３  前枠部
１４  操作窓
１５  操作部
１７  操作パネル
２０  固定板
２２  係止爪
２３  貼着面
【図１】
2006010142.tif 000003
【図２】
2006010142.tif 000004
【図３】
2006010142.tif 000005
【図４】
2006010142.tif 000006